(57)【要約】【課題】複数の設備機器の一括制御を行う操作手段を安価、且つ容易に設置可能な機器制御システムを提供する。【解決手段】登録モードの操作手段２は、コントローラ１へ登録モード設定コマンドを送信し、登録モード設定コマンドを受信したコントローラ１は、登録モードに移行して、設備機器３の一括制御パターンを操作表示部１ｃに１乃至複数表示し、当該表示した設備機器３の一括制御パターンのうちいずれか１つを選択し、登録モードのコントローラ１が設備機器３の一括制御パターンを選択しているときに、登録モードの操作端末２の操作スイッチ２ｃが関連付け操作された場合、当該操作された操作スイッチ２ｃは、コントローラ１が選択した設備機器３の一括制御パターンに関連付けられ、通常モードの操作端末２は、操作スイッチ２ｃの操作時に前記関連付けられた一括制御パターンに設備機器３を一括制御する。【選択図】図１
2011114499.tif 000002
【特許請求の範囲】
【請求項１】
複数の設備機器と、表示画面を具備し、制御要求ＩＤと各設備機器の動作内容を含む動作指示コマンドとの少なくともいずれか一方を用いて各設備機器を制御するコントローラと、複数の設備機器を一括制御するための一括制御操作が行われる操作手段とが、ネットワークに接続して互いに通信可能であり、
コントローラは、各設備機器を制御する通常モードと、操作手段を設備機器の一括制御パターンに関連付ける登録モードとを切り換える第１のモード切換手段を備え、操作手段は、複数の設備機器を一括制御する通常モードと、自己を設備機器の一括制御パターンに関連付ける登録モードとを切り換える第２のモード切換手段を備え、
コントローラは、第１のモード切換手段によって登録モードに移行した場合、設備機器の一括制御パターンを表示画面に１乃至複数表示して、当該表示した設備機器の一括制御パターンのうちいずれか１つを選択し、
登録モードのコントローラが設備機器の一括制御パターンを選択しているときに、第２のモード切換手段によって登録モードに移行した操作手段が関連付け操作された場合、当該操作された操作手段がコントローラから所定情報を取得する、またはコントローラが当該操作された操作手段から所定情報を取得することで、当該操作された操作手段は、コントローラが選択した設備機器の一括制御パターンに関連付けられ、
当該一括制御パターンの関連付けが完了すると、コントローラは第１のモード切換手段によって通常モードに移行し、操作手段は第２のモード切換手段によって通常モードに移行し、
通常モードの操作手段が一括制御操作された場合、操作手段またはコントローラが前記取得した所定情報を用いて、前記関連付けられた一括制御パターンに設備機器を一括制御する
ことを特徴とする機器制御システム。
【請求項２】
通常モードの操作手段がモード切換操作された場合、当該操作された操作手段は、第２のモード切換手段によって登録モードに移行するとともに、前記コントローラへ登録モード設定コマンドを送信し、登録モード設定コマンドを受信したコントローラは、第１のモード切換手段によって登録モードに移行するとともに、設備機器の一括制御パターンを表示画面に１乃至複数表示して、当該表示した設備機器の一括制御パターンのうちいずれか１つを選択し、
登録モードのコントローラが設備機器の一括制御パターンを選択しているときに、登録モードの操作手段が関連付け操作された場合、当該操作された操作手段がコントローラから所定情報を取得する、またはコントローラが当該操作された操作手段から所定情報を取得することで、当該操作された操作手段は、コントローラが選択した設備機器の一括制御パターンに関連付けられ、
操作手段は、当該一括制御パターンの関連付けが完了した後にモード切換操作されると、第２のモード切換手段によって通常モードに移行するとともに、通常モードに移行したことをコントローラへ通知し、
操作手段が通常モードに移行したことを通知されたコントローラは、第１のモード切換手段によって通常モードに移行する
ことを特徴とする請求項１記載の機器制御システム。
【請求項３】
前記コントローラは、第１のモード切換手段によって登録モードに移行した場合、前記操作手段へ登録モード設定コマンドを送信するとともに、設備機器の一括制御パターンを表示画面に１乃至複数表示して、当該表示した設備機器の一括制御パターンのうちいずれか１つを選択し、
登録モード設定コマンドを受信した操作手段は、第２のモード切換手段によって登録モードに移行し、登録モードのコントローラが設備機器の一括制御パターンを選択しているときに、登録モードの操作手段が関連付け操作された場合、当該操作された操作手段がコントローラから所定情報を取得する、またはコントローラが当該操作された操作手段から所定情報を取得することで、当該操作された操作手段は、コントローラが選択した設備機器の一括制御パターンに関連付けられ、
コントローラは、当該一括制御パターンの関連付けが完了すると、第１のモード切換手段によって通常モードに移行するとともに、通常モードに移行したことを操作手段へ通知し、
コントローラが通常モードに移行したことを通知された操作手段は、第２のモード切換手段によって通常モードに移行する
ことを特徴とする請求項１記載の機器制御システム。
【請求項４】
前記コントローラは、前記設備機器の一括制御パターンの各々に対応する制御要求ＩＤを記憶する第１の要求ＩＤ記憶手段を備え、
設備機器は、各制御要求ＩＤに対応する自器の動作内容を記憶する動作内容記憶手段を備えて、制御要求ＩＤを受信した場合に、当該受信した制御要求ＩＤに対応する動作内容を動作内容記憶手段から読み出して実行し、
登録モードのコントローラが設備機器の一括制御パターンを選択しているときに、登録モードの前記操作手段が関連付け操作された場合、当該操作された操作手段は、コントローラが選択した設備機器の一括制御パターンに対応する制御要求ＩＤをコントローラから取得して第２の要求ＩＤ記憶手段に記憶することで、当該選択した設備機器の一括制御パターンに関連付けられ、
通常モードの操作手段は、一括制御操作時に、第２の要求ＩＤ記憶手段から制御要求ＩＤを読み出して複数の設備機器へ送信し、設備機器は、操作手段から受信した制御要求ＩＤに対応する動作内容を動作内容記憶手段から読み出して実行する
ことを特徴とする請求項１乃至３いずれか記載の機器制御システム。
【請求項５】
前記コントローラは、前記設備機器の一括制御パターンの各々に対応して各設備機器の動作内容を含む動作指示コマンドを記憶する第１の動作内容記憶手段を備え、
登録モードのコントローラが設備機器の一括制御パターンを選択しているときに、登録モードの前記操作手段が関連付け操作された場合、当該操作された操作手段は、コントローラが選択した設備機器の一括制御パターンに対応する動作指示コマンドをコントローラから取得して第２の動作内容記憶手段に記憶することで、当該選択した設備機器の一括制御パターンに関連付けられ、
通常モードの操作手段は、一括制御操作時に、第２の動作内容記憶手段から動作指示コマンドを読み出して、当該読み出した動作指示コマンドを各設備機器へ送信し、設備機器は、操作手段から受信した動作指示コマンドに含まれる動作内容を実行する
ことを特徴とする請求項１乃至３いずれか記載の機器制御システム。
【請求項６】
前記コントローラは、前記設備機器の一括制御パターンの各々に対応する制御要求ＩＤを記憶する要求ＩＤ記憶手段を備え、
設備機器は、各制御要求ＩＤに対応する自器の動作内容を記憶する動作内容記憶手段を備えて、制御要求ＩＤを受信した場合に、当該受信した制御要求ＩＤに対応する動作内容を動作内容記憶手段から読み出して実行し、
前記操作手段は、操作手段毎に固有に予め割り付けられた操作識別情報を記憶する識別情報記憶手段を備え、
登録モードのコントローラが設備機器の一括制御パターンを選択しているときに、登録モードの前記操作手段が関連付け操作された場合、当該操作された操作手段は、識別情報記憶手段から操作識別情報を読み出してコントローラへ送信し、コントローラは、受信した操作識別情報を前記選択した設備機器の一括制御パターンに対応付けることで、当該操作された操作手段が前記選択した設備機器の一括制御パターンに関連付けられ、
通常モードの操作手段は、一括制御操作時に、識別情報記憶手段から操作識別情報を読み出してコントローラへ送信し、通常モードのコントローラは、受信した操作識別情報に対応付けた一括制御パターンの制御要求ＩＤをＩＤ記憶手段から読み出して各設備機器へ送信し、設備機器は、コントローラから受信した制御要求ＩＤに対応する動作内容を動作内容記憶手段から読み出して実行する
ことを特徴とする請求項１乃至３いずれか記載の機器制御システム。
【請求項７】
前記コントローラは、前記設備機器の一括制御パターンの各々に対応して各設備機器の動作内容を含む動作指示コマンドを記憶する動作内容記憶手段を備え、
前記操作手段は、操作手段毎に固有に予め割り付けられた操作識別情報を記憶する識別情報記憶手段を備え、
登録モードのコントローラが設備機器の一括制御パターンを選択しているときに、登録モードの前記操作手段が関連付け操作された場合、当該操作された操作手段は、識別情報記憶手段から操作識別情報を読み出してコントローラへ送信し、コントローラは、受信した操作識別情報を前記選択した設備機器の一括制御パターンに対応付けることで、当該操作された操作手段が前記選択した設備機器の一括制御パターンに関連付けられ、
通常モードの操作手段は、一括制御操作時に、識別情報記憶手段から操作識別情報を読み出してコントローラへ送信し、通常モードのコントローラは、受信した操作識別情報に対応付けた一括制御パターンの動作指示コマンドを動作内容記憶手段から読み出して各設備機器へ送信し、設備機器は、操作手段から受信した動作指示コマンドに含まれる動作内容を実行する
ことを特徴とする請求項１乃至３いずれか記載の機器制御システム。
【請求項８】
前記操作手段の一括制御操作によって一括制御された各設備機器は、自己の動作状態の変化に応じた状態変化通知をネットワーク上に一斉同報し、
操作手段は、各設備機器から受信した状態変化通知に基づいて、一括制御の結果を表示する表示手段を備え、
前記コントローラは、各設備機器から受信した状態変化通知に基づいて、一括制御の結果を前記表示画面に表示する
ことを特徴とする請求項５記載の機器制御システム。
【請求項９】
前記操作手段の一括制御操作によって一括制御された各設備機器は、自己の動作状態の変化に応じた状態変化通知をネットワーク上に一斉同報し、
１乃至複数の前記コントローラがネットワークに接続され、各コントローラは、ネットワークに接続された複数の設備機器のうち、当該コントローラによって制御される設備機器を検出し、検出した設備機器から、当該設備機器が状態変化通知の一斉同報先に設定する一斉同報用アドレスを取得して記憶し、ネットワーク上を伝送する状態変化通知のうち、前記記憶した一斉同報用アドレスを送信先に設定された状態変化通知のみを受信することを特徴とする請求項１乃至８いずれか記載の機器制御システム。
【請求項１０】
各コントローラは、前記記憶した一斉同報用アドレスから、各操作手段に関連付けられた一括制御パターンに含まれる設備機器が一斉同報先に設定する一斉同報用アドレスを操作手段毎に抽出して、当該抽出した一斉同報用アドレスの情報を各操作手段へ送信し、各操作手段は、コントローラから受信した一斉同報用アドレスの情報を記憶し、ネットワーク上を伝送する状態変化通知のうち、前記記憶した一斉同報用アドレスを送信先に設定された状態変化通知のみを受信することを特徴とする請求項９記載の機器制御システム。
【発明の詳細な説明】
【技術分野】
【０００１】
本発明は、機器制御システムに関するものである。
【背景技術】
【０００２】
従来、ネットワークに接続された複数の設備機器を制御する機器制御システムがあり、コントローラによって各設備機器の動作が制御されていた（例えば、特許文献１参照）。
【先行技術文献】
【特許文献】
【０００３】
【特許文献１】特開２００４−２９５４０８号公報
【発明の概要】
【発明が解決しようとする課題】
【０００４】
従来の機器制御システムでは、各設備機器を個別制御するだけでなく、シーン制御やグループ制御等のように複数の設備機器を一括制御する機能をコントローラが備えている。この一括制御パターンは、「在宅」「おでかけ」「おやすみ」等の種類があり、各一括制御パターンにおける各設備機器の動作内容の設定が複雑であり、ＧＵＩ機能を具備するコントローラを用いて一括制御の設定を行い、さらには一括制御の操作もＧＵＩ機能を用いて行っていた。
【０００５】
しかし、ＧＵＩ機能を具備するコントローラは高価であり、一括制御のための操作手段を至る所に設置することができず、不便であった。例えば、一括制御パターン「おでかけ」の操作手段を玄関に設けることや、一括制御パターン「おやすみ」の操作手段を寝室に設けることが、コストの観点から困難であった。
【０００６】
本発明は、上記事由に鑑みてなされたものであり、その目的は、複数の設備機器の一括制御を行う操作手段を安価、且つ容易に設置可能な機器制御システムを提供することにある。
【課題を解決するための手段】
【０００７】
請求項１の発明は、複数の設備機器と、表示画面を具備し、制御要求ＩＤと各設備機器の動作内容を含む動作指示コマンドとの少なくともいずれか一方を用いて各設備機器を制御するコントローラと、複数の設備機器を一括制御するための一括制御操作が行われる操作手段とが、ネットワークに接続して互いに通信可能であり、コントローラは、各設備機器を制御する通常モードと、操作手段を設備機器の一括制御パターンに関連付ける登録モードとを切り換える第１のモード切換手段を備え、操作手段は、複数の設備機器を一括制御する通常モードと、自己を設備機器の一括制御パターンに関連付ける登録モードとを切り換える第２のモード切換手段を備え、コントローラは、第１のモード切換手段によって登録モードに移行した場合、設備機器の一括制御パターンを表示画面に１乃至複数表示して、当該表示した設備機器の一括制御パターンのうちいずれか１つを選択し、登録モードのコントローラが設備機器の一括制御パターンを選択しているときに、第２のモード切換手段によって登録モードに移行した操作手段が関連付け操作された場合、当該操作された操作手段がコントローラから所定情報を取得する、またはコントローラが当該操作された操作手段から所定情報を取得することで、当該操作された操作手段は、コントローラが選択した設備機器の一括制御パターンに関連付けられ、当該一括制御パターンの関連付けが完了すると、コントローラは第１のモード切換手段によって通常モードに移行し、操作手段は第２のモード切換手段によって通常モードに移行し、通常モードの操作手段が一括制御操作された場合、操作手段またはコントローラが前記取得した所定情報を用いて、前記関連付けられた一括制御パターンに設備機器を一括制御することを特徴とする。
【０００８】
この発明によれば、ＧＵＩ機能を具備しない壁スイッチ等の操作手段であっても、所望の一括制御パターンに関連付けて、操作時に複数の設備機器を一括制御することができる。而して、安価、簡易に一括制御のための操作手段を増設して、ユーザビリティの向上が実現できる。すなわち、複数の設備機器の一括制御を行う操作手段を安価、且つ容易に設置可能な機器制御システムとなる。
【０００９】
請求項２の発明は、請求項１において、通常モードの操作手段がモード切換操作された場合、当該操作された操作手段は、第２のモード切換手段によって登録モードに移行するとともに、前記コントローラへ登録モード設定コマンドを送信し、登録モード設定コマンドを受信したコントローラは、第１のモード切換手段によって登録モードに移行するとともに、設備機器の一括制御パターンを表示画面に１乃至複数表示して、当該表示した設備機器の一括制御パターンのうちいずれか１つを選択し、登録モードのコントローラが設備機器の一括制御パターンを選択しているときに、登録モードの操作手段が関連付け操作された場合、当該操作された操作手段がコントローラから所定情報を取得する、またはコントローラが当該操作された操作手段から所定情報を取得することで、当該操作された操作手段は、コントローラが選択した設備機器の一括制御パターンに関連付けられ、操作手段は、当該一括制御パターンの関連付けが完了した後にモード切換操作されると、第２のモード切換手段によって通常モードに移行するとともに、通常モードに移行したことをコントローラへ通知し、操作手段が通常モードに移行したことを通知されたコントローラは、第１のモード切換手段によって通常モードに移行することを特徴とする。
【００１０】
この発明によれば、操作手段の操作によって、通常モード−登録モードのモード切替処理を実行することができ、コントローラの負荷を低減できる。
【００１１】
請求項３の発明は、請求項１において、前記コントローラは、第１のモード切換手段によって登録モードに移行した場合、前記操作手段へ登録モード設定コマンドを送信するとともに、設備機器の一括制御パターンを表示画面に１乃至複数表示して、当該表示した設備機器の一括制御パターンのうちいずれか１つを選択し、登録モード設定コマンドを受信した操作手段は、第２のモード切換手段によって登録モードに移行し、登録モードのコントローラが設備機器の一括制御パターンを選択しているときに、登録モードの操作手段が関連付け操作された場合、当該操作された操作手段がコントローラから所定情報を取得する、またはコントローラが当該操作された操作手段から所定情報を取得することで、当該操作された操作手段は、コントローラが選択した設備機器の一括制御パターンに関連付けられ、コントローラは、当該一括制御パターンの関連付けが完了すると、第１のモード切換手段によって通常モードに移行するとともに、通常モードに移行したことを操作手段へ通知し、コントローラが通常モードに移行したことを通知された操作手段は、第２のモード切換手段によって通常モードに移行することを特徴とする。
【００１２】
この発明によれば、コントローラの操作によって、通常モード−登録モードのモード切替処理を実行することができ、操作手段の負荷を低減できる。
【００１３】
請求項４の発明は、請求項１乃至３いずれかにおいて、前記コントローラは、前記設備機器の一括制御パターンの各々に対応する制御要求ＩＤを記憶する第１の要求ＩＤ記憶手段を備え、設備機器は、各制御要求ＩＤに対応する自器の動作内容を記憶する動作内容記憶手段を備えて、制御要求ＩＤを受信した場合に、当該受信した制御要求ＩＤに対応する動作内容を動作内容記憶手段から読み出して実行し、登録モードのコントローラが設備機器の一括制御パターンを選択しているときに、登録モードの前記操作手段が関連付け操作された場合、当該操作された操作手段は、コントローラが選択した設備機器の一括制御パターンに対応する制御要求ＩＤをコントローラから取得して第２の要求ＩＤ記憶手段に記憶することで、当該選択した設備機器の一括制御パターンに関連付けられ、通常モードの操作手段は、一括制御操作時に、第２の要求ＩＤ記憶手段から制御要求ＩＤを読み出して複数の設備機器へ送信し、設備機器は、操作手段から受信した制御要求ＩＤに対応する動作内容を動作内容記憶手段から読み出して実行することを特徴とする。
【００１４】
この発明によれば、コントローラおよび操作手段は、一括制御の操作時に制御要求ＩＤを送信し、具体的な動作内容の情報を保持した各設備機器が、制御要求ＩＤに応じた動作内容を自己で判断して動作するので、一括制御時にネットワーク上を伝送される信号長が短くなり、通信トラフィックの抑制を図ることができる。さらに、操作手段は、少なくとも制御要求ＩＤを記憶しておればよいので、操作手段に必要なメモリリソースを低減することができる。
【００１５】
請求項５の発明は、請求項１乃至３いずれかにおいて、前記コントローラは、前記設備機器の一括制御パターンの各々に対応して各設備機器の動作内容を含む動作指示コマンドを記憶する第１の動作内容記憶手段を備え、登録モードのコントローラが設備機器の一括制御パターンを選択しているときに、登録モードの前記操作手段が関連付け操作された場合、当該操作された操作手段は、コントローラが選択した設備機器の一括制御パターンに対応する動作指示コマンドをコントローラから取得して第２の動作内容記憶手段に記憶することで、当該選択した設備機器の一括制御パターンに関連付けられ、通常モードの操作手段は、一括制御操作時に、第２の動作内容記憶手段から動作指示コマンドを読み出して、当該読み出した動作指示コマンドを各設備機器へ送信し、設備機器は、操作手段から受信した動作指示コマンドに含まれる動作内容を実行することを特徴とする。
【００１６】
この発明によれば、コントローラおよび操作手段は、一括制御の操作時に、各設備機器の動作内容を具体的に指示する動作指示コマンドを送信するので、各設備機器は、制御内容に関する情報を予め記憶する必要がなく、設備機器に必要なメモリリソースを低減することができる。また、コントローラが、インターネット上のセンターサーバ等から新規の動作指示コマンドを取得して、動作内容記憶手段に記憶することで、新しい一括制御パターンを容易に追加することができる。さらには、コントローラが、インターネット上のセンターサーバ等から動作指示コマンドのアップデート情報を取得して、動作内容記憶手段に記憶している動作指示コマンドをアップデートすることもできる。すなわち、一括制御パターンの追加、アップデートを容易に実行できる。
【００１７】
請求項６の発明は、請求項１乃至３いずれかにおいて、前記コントローラは、前記設備機器の一括制御パターンの各々に対応する制御要求ＩＤを記憶する要求ＩＤ記憶手段を備え、設備機器は、各制御要求ＩＤに対応する自器の動作内容を記憶する動作内容記憶手段を備えて、制御要求ＩＤを受信した場合に、当該受信した制御要求ＩＤに対応する動作内容を動作内容記憶手段から読み出して実行し、前記操作手段は、操作手段毎に固有に予め割り付けられた操作識別情報を記憶する識別情報記憶手段を備え、登録モードのコントローラが設備機器の一括制御パターンを選択しているときに、登録モードの前記操作手段が関連付け操作された場合、当該操作された操作手段は、識別情報記憶手段から操作識別情報を読み出してコントローラへ送信し、コントローラは、受信した操作識別情報を前記選択した設備機器の一括制御パターンに対応付けることで、当該操作された操作手段が前記選択した設備機器の一括制御パターンに関連付けられ、通常モードの操作手段は、一括制御操作時に、識別情報記憶手段から操作識別情報を読み出してコントローラへ送信し、通常モードのコントローラは、受信した操作識別情報に対応付けた一括制御パターンの制御要求ＩＤをＩＤ記憶手段から読み出して各設備機器へ送信し、設備機器は、コントローラから受信した制御要求ＩＤに対応する動作内容を動作内容記憶手段から読み出して実行することを特徴とする。
【００１８】
この発明によれば、操作手段が、一括制御の操作時に操作識別情報をコントローラへ送信し、コントローラは、受信した操作識別情報に対応する制御要求ＩＤを送信し、具体的な動作内容の情報を保持した各設備機器が、制御要求ＩＤに応じた動作内容を自己で判断して動作するので、一括制御時にネットワーク上を伝送される信号長が短くなり、通信トラフィックの抑制を図ることができる。さらに、操作手段の操作時には、コントローラが設備機器を代理制御するので、制御要求ＩＤはコントローラのみが保持しておればよく、操作手段をより簡易に構成することができる。
【００１９】
請求項７の発明は、請求項１乃至３いずれかにおいて、前記コントローラは、前記設備機器の一括制御パターンの各々に対応して各設備機器の動作内容を含む動作指示コマンドを記憶する動作内容記憶手段を備え、前記操作手段は、操作手段毎に固有に予め割り付けられた操作識別情報を記憶する識別情報記憶手段を備え、登録モードのコントローラが設備機器の一括制御パターンを選択しているときに、登録モードの前記操作手段が関連付け操作された場合、当該操作された操作手段は、識別情報記憶手段から操作識別情報を読み出してコントローラへ送信し、コントローラは、受信した操作識別情報を前記選択した設備機器の一括制御パターンに対応付けることで、当該操作された操作手段が前記選択した設備機器の一括制御パターンに関連付けられ、通常モードの操作手段は、一括制御操作時に、識別情報記憶手段から操作識別情報を読み出してコントローラへ送信し、通常モードのコントローラは、受信した操作識別情報に対応付けた一括制御パターンの動作指示コマンドを動作内容記憶手段から読み出して各設備機器へ送信し、設備機器は、操作手段から受信した動作指示コマンドに含まれる動作内容を実行することを特徴とする。
【００２０】
この発明によれば、操作手段が、一括制御の操作時に操作識別情報をコントローラへ送信し、コントローラが、受信した操作識別情報に対応する動作指示コマンドを送信するので、操作手段の操作時には、コントローラが設備機器を代理制御し、動作指示コマンドはコントローラのみが保持しておればよく、操作手段をより簡易に構成することができる。また、コントローラは、一括制御の操作時に、各設備機器の動作内容を具体的に指示する動作指示コマンドを送信するので、各設備機器は、制御内容に関する情報を予め記憶する必要がなく、設備機器に必要なメモリリソースを低減することができる。また、コントローラが、インターネット上のセンターサーバ等から新規の動作指示コマンドを取得して、動作内容記憶手段に記憶することで、新しい一括制御パターンを容易に追加することができる。さらには、コントローラが、インターネット上のセンターサーバ等から動作指示コマンドのアップデート情報を取得して、動作内容記憶手段に記憶している動作指示コマンドをアップデートすることもできる。すなわち、一括制御パターンの追加、アップデートを容易に実行できる。
【００２１】
請求項８の発明は、請求項５において、前記操作手段の一括制御操作によって一括制御された各設備機器は、自己の動作状態の変化に応じた状態変化通知をネットワーク上に一斉同報し、操作手段は、各設備機器から受信した状態変化通知に基づいて、一括制御の結果を表示する表示手段を備え、前記コントローラは、各設備機器から受信した状態変化通知に基づいて、一括制御の結果を前記表示画面に表示することを特徴とする。
【００２２】
この発明によれば、コントローラだけでなく、操作手段においても一括制御の成否を視覚的に確認でき、ユーザビリティが向上する。
【００２３】
請求項９の発明は、請求項１乃至８いずれかにおいて、前記操作手段の一括制御操作によって一括制御された各設備機器は、自己の動作状態の変化に応じた状態変化通知をネットワーク上に一斉同報し、１乃至複数の前記コントローラがネットワークに接続され、各コントローラは、ネットワークに接続された複数の設備機器のうち、当該コントローラによって制御される設備機器を検出し、検出した設備機器から、当該設備機器が状態変化通知の一斉同報先に設定する一斉同報用アドレスを取得して記憶し、ネットワーク上を伝送する状態変化通知のうち、前記記憶した一斉同報用アドレスを送信先に設定された状態変化通知のみを受信することを特徴とする。
【００２４】
この発明によれば、受信不要な一斉同報信号を受信しないことで、コントローラでの負荷を軽減させることができる。
【００２５】
請求項１０の発明は、請求項９において、各コントローラは、前記記憶した一斉同報用アドレスから、各操作手段に関連付けられた一括制御パターンに含まれる設備機器が一斉同報先に設定する一斉同報用アドレスを操作手段毎に抽出して、当該抽出した一斉同報用アドレスの情報を各操作手段へ送信し、各操作手段は、コントローラから受信した一斉同報用アドレスの情報を記憶し、ネットワーク上を伝送する状態変化通知のうち、前記記憶した一斉同報用アドレスを送信先に設定された状態変化通知のみを受信することを特徴とする。
【００２６】
この発明によれば、受信不要な一斉同報信号を受信しないことで、操作手段での負荷を軽減させることができる。
【発明の効果】
【００２７】
以上説明したように、本発明では、複数の設備機器の一括制御を行う操作手段を安価、且つ容易に設置することができるという効果がある。
【図面の簡単な説明】
【００２８】
【図１】実施形態１，５の機器制御システムの構成を示す図である。
【図２】実施形態２，６の機器制御システムの構成を示す図である。
【図３】実施形態３，７の機器制御システムの構成を示す図である。
【図４】実施形態４，８の機器制御システムの構成を示す図である。
【図５】実施形態９の操作端末の構成を示す図である。
【図６】同上の操作端末の外観を示す図である。
【図７】同上の動作シーケンスを示す図である。
【発明を実施するための形態】
【００２９】
以下、本発明の実施の形態を図面に基づいて説明する。
【００３０】
（実施形態１）
図１は、本実施形態の機器制御システムの構成を示し、１つのコントローラ１と、１乃至複数の操作端末２と、複数の設備機器３とが、ネットワークＮＴに接続して互いに通信可能に構成されている。
【００３１】
コントローラ１は、ネットワークＮＴとの間で信号授受を行うインターフェース機能を有する通信部１ａと、コントローラ１の各部の制御を行う制御部１ｂと、タッチパネル付きのＬＣＤ表示画面を具備してＧＵＩ機能を有する操作表示部１ｃと、コントローラ１（制御部１ｂ）の動作を通常モードまたは登録モードに切り換えるモード切換部１ｄと、後述の制御要求ＩＤを記憶する要求ＩＤ記憶部１ｅとを備える。
【００３２】
操作端末２は、例えば壁面に設置される壁スイッチで構成されており、ネットワークＮＴとの間で信号授受を行うインターフェース機能を有する通信部２ａと、操作端末２の各部の制御を行う制御部２ｂと、オン・オフ操作を行う操作スイッチ２ｃと、操作端末２（制御部２ｂ）の動作を通常モードまたは登録モードに切り換えるモード切換部２ｄと、後述の制御要求ＩＤを記憶する要求ＩＤ記憶部２ｅとを備える。なお、１つの操作端末が備える操作スイッチ２ｃの数は複数でもよく、要求ＩＤ記憶部２ｅは、各操作スイッチ２ｃに対応して、操作スイッチ２ｃと同数設けられる。
【００３３】
設備機器３は、照明、空調、音響等の機能を有する照明装置、空調装置、音響装置等で構成されており、ネットワークＮＴとの間で信号授受を行うインターフェース機能を有する通信部３ａと、設備機器３の各部の制御を行う制御部３ｂと、設備機器３毎の機能（照明、空調、音響等）を有する機能部３ｃと、動作内容データを記憶する動作内容記憶部３ｄとを備える。
【００３４】
そしてコントローラ１の制御部１ｂは、通常モードにおいて設備機器３の監視・制御を行うが、以下では、コントローラ１による複数の設備機器３の一括制御について説明する。
【００３５】
まず、一括制御パターンとしては、「在宅」「おでかけ」「おやすみ」等の種類があり、例えば、一括制御パターン「在宅」では、宅内の照明装置が点灯して、空調装置、音響装置等が運転中になり、一括制御パターン「おでかけ」では、防犯装置が留守時の動作を開始し、照明装置が消灯し、空調装置等が停止し、一括制御パターン「おやすみ」では、防犯装置が就寝時の動作を開始し、照明装置は消灯し、音響装置等が停止する。
【００３６】
そして、コントローラ１の要求ＩＤ記憶部１ｅは、設備機器３の各一括制御パターン（「在宅」「おでかけ」「おやすみ」等）に対応した制御要求ＩＤを記憶している。この制御要求ＩＤは、当該一括制御における設備機器３の動作内容を具体的に指示する情報ではなく、単に一括制御を識別するための情報である。そして、制御部１ｂは、操作表示部１ｃの操作や、センサ等の他の端末からネットワークＮＴを介して受信した信号に基づいて、要求ＩＤ記憶部１ｅから制御要求ＩＤを読み出し、ネットワークＮＴ上の設備機器３へ制御要求ＩＤをマルチキャスト送信（一斉同報）する。
【００３７】
設備機器３は、制御要求ＩＤの各々に対応する自器の動作内容を動作内容記憶部３ｄに記憶しており、制御部３ｂは、コントローラ１から受信した制御要求ＩＤに対応する動作内容を動作内容記憶部３ｄに格納していれば、当該動作内容を動作内容記憶部３ｄから読み出して、機能部３ｃを当該動作内容に制御する。そして制御部３ｂは、制御後の状態変化通知をネットワークＮＴを介してコントローラ１に送信し、コントローラ１の制御部１ｂは、操作表示部１ｃに表示する設備機器３の運転状態（監視結果）を更新する。
【００３８】
このように、コントローラ１から設備機器３へ制御要求ＩＤを送信することによって、複数の設備機器３を一括制御できる。ここで、コントローラ１は、ＧＵＩ機能を有する操作表示部１ｃを備えており、この操作表示部１ｃの表示画面を見ながら、ユーザが一括制御における各設備機器３の動作内容を設定する。設定された一括制御パターンの動作内容と、その制御要求ＩＤとは、各設備機器３へ送信され、各設備機器３では、受信した制御要求ＩＤに対応する自器の動作内容を動作内容記憶部３ｄに記憶することで、一括制御パターンの設定がなされる。そして、コントローラ１の操作表示部１ｃに表示される所望の一括制御ボタンが押下されることで、所望の一括制御パターンに対応する制御要求ＩＤがコントローラ１からマルチキャスト送信され、一括制御が実行される。なお、一括制御パターンにおける各設備機器３の動作内容および制御要求ＩＤは、工場出荷時に予め設定されていてもよい。
【００３９】
また、コントローラ１が設備機器３を個別に制御する場合には、制御部１ｂが、制御対象の設備機器３に対して、個別制御の制御要求ＩＤをユニキャスト送信することによって行われる。
【００４０】
次に、本実施形態では、操作端末２の操作スイッチ２ｃをオン・オフする一括制御操作を行うことでも、複数の設備機器３の一括制御を行うことができる。以下、操作端末２による一括制御パターンの設定および操作について説明する。
【００４１】
まず、いずれか１つの操作端末２の操作スイッチ２ｃをモード切換操作（長押操作、またはモード切換スイッチを別に設けてもよい）することによって、当該操作された操作端末２では、モード切換部２ｄが、操作端末２の動作を通常モードから登録モードに移行させるとともに、制御部２ｂは、コントローラ１に対して、登録モード設定コマンドをユニキャスト送信する。登録モード設定コマンドを受信したコントローラ１では、モード切換部１ｄが、コントローラ１の動作を通常モードから登録モードに移行させる。このようにして、モード切換操作された操作端末２とコントローラ１とが登録モードに移行する。
【００４２】
そして、コントローラ１の制御部１ｂは、各一括制御パターンの情報を予め記憶しており、要求ＩＤ記憶部１ｅには、各一括制御パターンに対応する制御要求ＩＤが予め記憶されている。登録モードにおける制御部１ｂは、操作表示部１ｃに各一括制御パターンの情報を提示し、操作表示部１ｃのユーザ操作によって、いずれか１つの一括制御パターンが選択される。例えば、コントローラ１において一括制御パターン「おやすみ」が選択された状態で、登録モードに移行した操作端末２の操作スイッチ２ｃが関連付け操作（オン操作、またはオフ操作、またはオンオフ連続操作）されると、操作された操作端末２の制御部２ｂはコントローラ１へ操作信号を送信する。操作信号を受信したコントローラ１は、選択している一括制御パターン「おやすみ」に対応する制御要求ＩＤを要求ＩＤ記憶部１ｅから読み出して、操作信号の送信元の操作端末２へ送信する。
【００４３】
関連付け操作された操作端末２の制御部２ｂは、コントローラ１から受信した制御要求ＩＤを要求ＩＤ記憶部２ｅに記憶することで、当該操作端末２の操作スイッチ２ｃが、一括制御パターン「おやすみ」に関連付けられる。
【００４４】
上記一括制御パターンの関連付け処理が完了すると、登録モードの操作端末２では、操作スイッチ２ｃを再びモード切換操作（長押操作、またはモード切換スイッチを別に設けてもよい）することによって、モード切換部２ｄが、操作端末２の動作を登録モードから通常モードに移行させるとともに、制御部２ｂは、コントローラ１に対して、通常モード復帰コマンドをユニキャスト送信する。通常モード復帰コマンドを受信したコントローラ１では、モード切換部１ｄが、コントローラ１の動作を登録モードから通常モードに移行させる。このようにして、モード切換操作された操作端末２とコントローラ１とが通常モードに移行する。
【００４５】
または、登録モードの操作端末２では、制御部２ｂが、登録モード設定コマンドをコントローラ１へ定期的に送信し続け、上記一括制御パターンの関連付け処理が完了すると、操作スイッチ２ｃを再びモード切換操作（長押操作、またはモード切換スイッチを別に設けてもよい）することによって、モード切換部２ｄが、操作端末２の動作を登録モードから通常モードに移行させるとともに、制御部２ｂは、コントローラ１に対する登録モード設定コマンドの送信を停止し、登録モードのコントローラ１では、登録モード設定コマンドを一定時間受信しなければ、モード切換部１ｄが、コントローラ１の動作を登録モードから通常モードに移行させるタイムアウト処理を行うことで、モード切換操作された操作端末２とコントローラ１とが通常モードに移行してもよい。この場合、操作端末２は、コントローラ１に対する登録モード設定コマンドの定期送信を停止することで、通常モードに移行したことをコントローラ１に通知している。
【００４６】
そして、通常モードにおける操作端末２の制御部２ｂは、操作スイッチ２ｃをオンまたはオフする一括制御操作時に、要求ＩＤ記憶部２ｅから制御要求ＩＤを読み出し、ネットワークＮＴ上の設備機器３へ制御要求ＩＤをマルチキャスト送信する。
【００４７】
設備機器３は、制御要求ＩＤの各々に対応する自器の動作内容を動作内容記憶部３ｄに記憶しており、制御部３ｂは、操作端末２から受信した制御要求ＩＤに対応する動作内容を動作内容記憶部３ｄに格納していれば、当該動作内容を動作内容記憶部３ｄから読み出して、機能部３ｃを当該動作内容に制御する。そして制御部３ｂは、制御後の状態変化通知をネットワークＮＴを介してコントローラ１に送信し、コントローラ１の制御部１ｂは、操作表示部１ｃに表示する設備機器３の運転状態（監視結果）を更新する。
【００４８】
このように、所定の一括制御パターンに関連付けられた操作端末２から設備機器３へ制御要求ＩＤを送信することによって、複数の設備機器３を一括制御できる。したがって、ＧＵＩ機能を具備しない壁スイッチ等の操作端末２であっても、所望の一括制御パターンに関連付けて、操作時に複数の設備機器３を一括制御することができる。而して、コントローラ１はリビングに設置し、操作表示部１ｃのＧＵＩ機能を利用して、一括制御の操作を行うだけでなく、複雑な一括制御パターンの設定も行い、さらに一括制御パターン「おでかけ」に関連付けた操作端末２を玄関付近に設置し、一括制御パターン「おやすみ」に関連付けた操作端末２を寝室に設置する等の構成が可能となり、安価、簡易に一括制御のための操作手段を増設して、ユーザビリティの向上が実現できる。すなわち、複数の設備機器の一括制御を行う操作手段を安価、且つ容易に設置可能な機器制御システムとなる。
【００４９】
さらに、本実施形態では、コントローラ１および操作端末２は、一括制御の操作時に制御要求ＩＤをマルチキャスト送信し、具体的な動作内容の情報を保持した各設備機器３が、制御要求ＩＤに応じた動作内容を自己で判断して動作するので、一括制御時にネットワーク上を伝送される信号長が短くなり、通信トラフィックの抑制を図ることができる。さらに、操作端末２は、少なくとも制御要求ＩＤを記憶しておればよいので、操作端末２に必要なメモリリソースを低減することができる。
【００５０】
（実施形態２）
図２は、本実施形態の機器制御システムの構成を示し、１つのコントローラ１と、１乃至複数の操作端末２と、複数の設備機器３とが、ネットワークＮＴに接続して互いに通信可能に構成されている。
【００５１】
コントローラ１は、ネットワークＮＴとの間で信号授受を行うインターフェース機能を有する通信部１ａと、コントローラ１の各部の制御を行う制御部１ｂと、タッチパネル付きのＬＣＤ表示画面を具備してＧＵＩ機能を有する操作表示部１ｃと、コントローラ１（制御部１ｂ）の動作を通常モードまたは登録モードに切り換えるモード切換部１ｄと、各設備機器３の動作内容を具体的に指示する動作指示コマンドを記憶する動作内容記憶部１ｆとを備える。
【００５２】
操作端末２は、例えば屋内の壁面に設置される壁スイッチで構成されており、ネットワークＮＴとの間で信号授受を行うインターフェース機能を有する通信部２ａと、操作端末２の各部の制御を行う制御部２ｂと、オン・オフ操作を行う操作スイッチ２ｃと、操作端末２（制御部２ｂ）の動作を通常モードまたは登録モードに切り換えるモード切換部２ｄと、各設備機器３の動作内容を具体的に指示する動作指示コマンドを記憶する動作内容記憶部２ｆとを備える。なお、１つの操作端末が備える操作スイッチ２ｃの数は複数でもよく、動作内容記憶部２ｆは、各操作スイッチ２ｃに対応して、操作スイッチ２ｃと同数設けられる。
【００５３】
設備機器３は、照明、空調、音響等の機能を有する照明装置、空調装置、音響装置等で構成されており、ネットワークＮＴとの間で信号授受を行うインターフェース機能を有する通信部３ａと、設備機器３の各部の制御を行う制御部３ｂと、設備機器３毎の機能（照明、空調、音響等）を有する機能部３ｃとを備える。
【００５４】
そしてコントローラ１の制御部１ｂは、通常モードにおいて設備機器３の監視・制御を行うが、以下では、コントローラ１による複数の設備機器３の一括制御について説明する。
【００５５】
まず、一括制御パターンとしては、「在宅」「おでかけ」「おやすみ」等の種類があり、例えば、一括制御パターン「在宅」では、宅内の照明装置が点灯して、空調装置、音響装置等が運転中になり、一括制御パターン「おでかけ」では、防犯装置が留守時の動作を開始し、照明装置が消灯し、空調装置等が停止し、一括制御パターン「おやすみ」では、防犯装置が就寝時の動作を開始し、照明装置は消灯し、音響装置等が停止する。
【００５６】
そして、コントローラ１の動作内容記憶部１ｆは、設備機器３の各一括制御パターン（「在宅」「おでかけ」「おやすみ」等）に対応した動作指示コマンドを記憶している。この動作指示コマンドは、当該一括制御における各設備機器３の動作内容を具体的に指示する情報であり、当該一括制御の対象となる複数の設備機器３の各アドレス、および複数の設備機器３の各動作内容が１つのコマンドに格納されている。そして、制御部１ｂは、操作表示部１ｃの操作や、センサ等の他の端末からネットワークＮＴを介して受信した信号に基づいて、動作内容記憶部１ｆから動作指示コマンドを読み出し、ネットワークＮＴ上の設備機器３へ動作指示コマンドをマルチキャスト送信（一斉同報）する。
【００５７】
設備機器３の制御部３ｂは、コントローラ１から受信した動作指示コマンド内に自器のアドレスが格納されておれば、動作指示コマンドから自器宛の動作内容を取り出し、機能部３ｃを当該動作内容に制御する。そして制御部３ｂは、制御後の状態変化通知をネットワークＮＴを介してコントローラ１に送信し、コントローラ１の制御部１ｂは、操作表示部１ｃに表示する設備機器３の運転状態（監視結果）を更新する。
【００５８】
このように、コントローラ１から設備機器３へ動作指示コマンドを送信することによって、複数の設備機器３を一括制御できる。ここで、コントローラ１は、ＧＵＩ機能を有する操作表示部１ｃを備えており、この操作表示部１ｃの表示画面を見ながら、ユーザが一括制御における各設備機器３の動作内容を設定する。そして、コントローラ１の操作表示部１ｃに表示される所望の一括制御ボタンが押下されることで、所望の一括制御パターンに対応する動作指示コマンドがコントローラ１からマルチキャスト送信され、一括制御が実行される。なお、一括制御パターンにおける各設備機器３の動作内容は、工場出荷時に予め設定されていてもよい。
【００５９】
また、コントローラ１が設備機器３を個別に制御する場合には、制御部１ｂが、制御対象の設備機器３に対して、個別制御の動作指示コマンドをユニキャスト送信することによって行われる。
【００６０】
次に、本実施形態では、操作端末２の操作スイッチ２ｃをオン・オフする一括制御操作を行うことでも、複数の設備機器３の一括制御を行うことができる。以下、操作端末２による一括制御パターンの設定および操作について説明する。
【００６１】
まず、いずれか１つの操作端末２の操作スイッチ２ｃをモード切換操作（長押操作、またはモード切換スイッチを別に設けてもよい）することによって、当該操作された操作端末２では、モード切換部２ｄが、操作端末２の動作を通常モードから登録モードに移行させるとともに、制御部２ｂは、コントローラ１に対して、登録モード設定コマンドをユニキャスト送信する。登録モード設定コマンドを受信したコントローラ１では、モード切換部１ｄが、コントローラ１の動作を通常モードから登録モードに移行させる。このようにして、モード切換操作された操作端末２とコントローラ１とが登録モードに移行する。
【００６２】
そして、コントローラ１の制御部１ｂは、各一括制御パターンの情報を予め記憶しており、動作内容記憶部１ｆには、各一括制御パターンに対応する動作指示コマンドが予め記憶されている。登録モードにおける制御部１ｂは、操作表示部１ｃに各一括制御パターンの情報を提示し、操作表示部１ｃのユーザ操作によって、いずれか１つの一括制御パターンが選択される。例えば、コントローラ１において一括制御パターン「おやすみ」が選択された状態で、登録モードに移行した操作端末２の操作スイッチ２ｃが関連付け操作（オン操作、またはオフ操作、またはオンオフ連続操作）されると、操作された操作端末２の制御部２ｂは操作信号をコントローラ１へ送信する。操作信号を受信したコントローラ１は、選択している一括制御パターン「おやすみ」に対応する動作指示コマンドを動作内容記憶部１ｆから読み出して、操作信号の送信元の操作端末２へ送信する。
【００６３】
関連付け操作された操作端末２の制御部２ｂは、コントローラ１から受信した動作指示コマンドを操作内容記憶部２ｆに記憶することで、当該操作端末２の操作スイッチ２ｃが、一括制御パターン「おやすみ」に関連付けられる。
【００６４】
上記一括制御パターンの関連付け処理が完了すると、登録モードの操作端末２では、操作スイッチ２ｃを再びモード切換操作（長押操作、またはモード切換スイッチを別に設けてもよい）することによって、モード切換部２ｄが、操作端末２の動作を登録モードから通常モードに移行させるとともに、制御部２ｂは、コントローラ１に対して、通常モード復帰コマンドをユニキャスト送信する。通常モード復帰コマンドを受信したコントローラ１では、モード切換部１ｄが、コントローラ１の動作を登録モードから通常モードに移行させる。このようにして、モード切換操作された操作端末２とコントローラ１とが通常モードに移行する。
【００６５】
または、登録モードの操作端末２では、制御部２ｂが、登録モード設定コマンドをコントローラ１へ定期的に送信し続け、上記一括制御パターンの関連付け処理が完了すると、操作スイッチ２ｃを再びモード切換操作（長押操作、またはモード切換スイッチを別に設けてもよい）することによって、モード切換部２ｄが、操作端末２の動作を登録モードから通常モードに移行させるとともに、制御部２ｂは、コントローラ１に対する登録モード設定コマンドの送信を停止し、登録モードのコントローラ１では、登録モード設定コマンドを一定時間受信しなければ、モード切換部１ｄが、コントローラ１の動作を登録モードから通常モードに移行させるタイムアウト処理を行うことで、モード切換操作された操作端末２とコントローラ１とが通常モードに移行してもよい。この場合、操作端末２は、コントローラ１に対する登録モード設定コマンドの定期送信を停止することで、通常モードに移行したことをコントローラ１に通知している。
【００６６】
そして、通常モードにおける操作端末２の制御部２ｂは、操作スイッチ２ｃをオンまたはオフする一括制御操作時に、操作内容記憶部２ｆから動作指示コマンドを読み出し、ネットワークＮＴ上の設備機器３へ動作指示コマンドをマルチキャスト送信する。
【００６７】
設備機器３の制御部３ｂは、操作端末２から受信した動作指示コマンド内に自器のアドレスが格納されておれば、動作指示コマンドから自器宛の動作内容を取り出し、機能部３ｃを当該動作内容に制御する。そして制御部３ｂは、制御後の状態変化通知をネットワークＮＴを介してコントローラ１に送信し、コントローラ１の制御部１ｂは、操作表示部１ｃに表示する設備機器３の運転状態（監視結果）を更新する。
【００６８】
このように、所定の一括制御パターンに関連付けられた操作端末２から設備機器３へ動作指示コマンドを送信することによって、複数の設備機器３を一括制御できる。したがって、ＧＵＩ機能を具備しない壁スイッチ等の操作端末２であっても、所望の一括制御パターンに関連付けて、操作時に複数の設備機器３を一括制御することができる。而して、コントローラ１はリビングに設置し、操作表示部１ｃのＧＵＩ機能を利用して、一括制御の操作を行うだけでなく、複雑な一括制御パターンの設定も行い、さらに一括制御パターン「おでかけ」に関連付けた操作端末２を玄関付近に設置し、一括制御パターン「おやすみ」に関連付けた操作端末２を寝室に設置する等の構成が可能となり、安価、簡易に一括制御のための操作手段を増設して、ユーザビリティの向上が実現できる。すなわち、複数の設備機器の一括制御を行う操作手段を安価、且つ容易に設置可能な機器制御システムとなる。
【００６９】
さらに、本実施形態では、コントローラ１および操作端末２は、一括制御の操作時に、各設備機器３の動作内容を具体的に指示する動作指示コマンドをマルチキャスト送信するので、各設備機器３は、制御内容に関する情報を予め記憶する必要がなく、設備機器３に必要なメモリリソースを低減することができる。
【００７０】
また、コントローラ１の制御部１ｂが、図示しないインターネット上のセンターサーバ等から新規の動作指示コマンドを取得して、動作内容記憶部１ｆに記憶することで、新しい一括制御パターンを容易に追加することができる。さらには、制御部１ｂが、図示しないインターネット上のセンターサーバ等から動作指示コマンドのアップデート情報を取得して、動作内容記憶部１ｆに記憶している動作指示コマンドをアップデートすることもできる。すなわち、一括制御パターンの追加、アップデートを容易に実行できる。
【００７１】
（実施形態３）
本実施形態は、実施形態１の操作端末２による制御要求ＩＤを用いた一括制御を、コントローラ１が代理制御するものであり、図３に示すように、コントローラ１にＩＤ対応記憶部１ｇを設け、操作端末２にＯＩＤ記憶部２ｇを設けて構成される。また、１つの操作端末が備える操作スイッチ２ｃの数は複数でもよく、ＯＩＤ記憶部２ｇは、各操作スイッチ２ｃに対応して、操作スイッチ２ｃと同数設けられる。なお、実施形態１と同様の構成には同一の符号を付して説明は省略する。
【００７２】
そしてコントローラ１の制御部１ｂは実施形態１と同様に、通常モードにおいて、制御要求ＩＤを設備機器３へ送信することによって、複数の設備機器３を一括制御、個別制御する。
【００７３】
次に、本実施形態では、操作端末２の操作スイッチ２ｃをオン・オフする一括制御操作を行うことでも、複数の設備機器３の一括制御を行うことができる。以下、操作端末２による一括制御パターンの設定および操作について説明する。
【００７４】
まず、いずれか１つの操作端末２の操作スイッチ２ｃをモード切換操作（長押操作、またはモード切換スイッチを別に設けてもよい）することによって、当該操作された操作端末２では、モード切換部２ｄが、操作端末２の動作を通常モードから登録モードに移行させるとともに、制御部２ｂは、コントローラ１に対して、登録モード設定コマンドをユニキャスト送信する。登録モード設定コマンドを受信したコントローラ１では、モード切換部１ｄが、コントローラ１の動作を通常モードから登録モードに移行させる。このようにして、モード切換操作された操作端末２とコントローラ１とが登録モードに移行する。
【００７５】
そして、コントローラ１の制御部１ｂは、各一括制御パターンの情報を予め記憶しており、要求ＩＤ記憶部１ｅには、各一括制御パターンに対応する制御要求ＩＤが予め記憶されている。登録モードにおける制御部１ｂは、操作表示部１ｃに各一括制御パターンの情報を提示し、操作表示部１ｃのユーザ操作によって、いずれか１つの一括制御パターンが選択される。例えば、コントローラ１において一括制御パターン「おやすみ」が選択された状態で、登録モードに移行した操作端末２の操作スイッチ２ｃが関連付け操作（オン操作、またはオフ操作、またはオンオフ連続操作）されると、操作された操作端末２の制御部２ｂは、操作された操作スイッチ２ｃのＯＩＤ（オブジェクトＩＤ）をＯＩＤ記憶部２ｇから読み出してコントローラ１へ送信する。ＯＩＤは、ＯＩＤ記憶部２ｇに予め格納された操作識別情報であり、操作端末２の操作スイッチ２ｃ毎に固有に割り付けられたネットワークアドレスやハンドル番号である。
【００７６】
ＯＩＤを受信したコントローラ１は、当該受信したＯＩＤを、選択している一括制御パターン「おやすみ」の制御要求ＩＤに対応付け、このＯＩＤ−制御要求ＩＤの対応関係をＩＤ対応記憶部１ｇに記憶することで、当該操作端末２の操作スイッチ２ｃが、一括制御パターン「おやすみ」に関連付けられる。
【００７７】
上記一括制御パターンの関連付け処理が完了すると、登録モードの操作端末２では、操作スイッチ２ｃを再びモード切換操作（長押操作、またはモード切換スイッチを別に設けてもよい）することによって、モード切換部２ｄが、操作端末２の動作を登録モードから通常モードに移行させるとともに、制御部２ｂは、コントローラ１に対して、通常モード復帰コマンドをユニキャスト送信する。通常モード復帰コマンドを受信したコントローラ１では、モード切換部１ｄが、コントローラ１の動作を登録モードから通常モードに移行させる。このようにして、モード切換操作された操作端末２とコントローラ１とが通常モードに移行する。
【００７８】
または、登録モードの操作端末２では、制御部２ｂが、登録モード設定コマンドをコントローラ１へ定期的に送信し続け、上記一括制御パターンの関連付け処理が完了すると、操作スイッチ２ｃを再びモード切換操作（長押操作、またはモード切換スイッチを別に設けてもよい）することによって、モード切換部２ｄが、操作端末２の動作を登録モードから通常モードに移行させるとともに、制御部２ｂは、コントローラ１に対する登録モード設定コマンドの送信を停止し、登録モードのコントローラ１では、登録モード設定コマンドを一定時間受信しなければ、モード切換部１ｄが、コントローラ１の動作を登録モードから通常モードに移行させるタイムアウト処理を行うことで、モード切換操作された操作端末２とコントローラ１とが通常モードに移行してもよい。この場合、操作端末２は、コントローラ１に対する登録モード設定コマンドの定期送信を停止することで、通常モードに移行したことをコントローラ１に通知している。
【００７９】
そして、通常モードにおける操作端末２の制御部２ｂは、操作スイッチ２ｃオンまたはオフする一括制御操作時に、ＯＩＤ記憶部２ｇからＯＩＤを読み出し、コントローラ１へＯＩＤを送信する。
【００８０】
コントローラ１は、ＩＤ対応記憶部１ｇを参照して、操作端末２から受信したＯＩＤに対応する制御要求ＩＤを要求ＩＤ記憶部１ｅから読み出し、ネットワークＮＴ上の設備機器３へ制御要求ＩＤをマルチキャスト送信する。
【００８１】
設備機器３は、制御要求ＩＤの各々に対応する自器の動作内容を動作内容記憶部３ｄに記憶しており、制御部３ｂは、操作端末２から受信した制御要求ＩＤに対応する動作内容を動作内容記憶部３ｄに格納していれば、当該動作内容を動作内容記憶部３ｄから読み出して、機能部３ｃを当該動作内容に制御する。そして制御部３ｂは、制御後の状態変化通知をネットワークＮＴを介してコントローラ１に送信し、コントローラ１の制御部１ｂは、操作表示部１ｃに表示する設備機器３の運転状態（監視結果）を更新する。
【００８２】
このように、所定の一括制御パターンに関連付けられた操作端末２からコントローラ１へＯＩＤを送信し、コントローラ１が、受信したＯＩＤに基づいて設備機器３へ制御要求ＩＤを送信する代理制御を行うことによって、複数の設備機器３を一括制御できる。
【００８３】
このように、本実施形態では、操作端末２が、一括制御の操作時に操作手段２ｃのＯＩＤをコントローラ１へ送信し、コントローラ１は、受信したＯＩＤに対応する制御要求ＩＤをマルチキャスト送信し、具体的な動作内容の情報を保持した各設備機器３が、制御要求ＩＤに応じた動作内容を自己で判断して動作する。すなわち、操作端末２の操作時には、コントローラ１が設備機器３を代理制御するので、制御要求ＩＤはコントローラ１のみが保持しておればよく、操作端末２をより簡易に構成することができる。
【００８４】
（実施形態４）
本実施形態は、実施形態２の操作端末２による動作指示コマンドを用いた一括制御を、コントローラ１が代理制御するものであり、図４に示すように、コントローラ１に対応記憶部１ｈを設け、操作端末２にＯＩＤ記憶部２ｇを設けて構成される。また、１つの操作端末が備える操作スイッチ２ｃの数は複数でもよく、ＯＩＤ記憶部２ｇは、各操作スイッチ２ｃに対応して、操作スイッチ２ｃと同数設けられる。なお、実施形態２と同様の構成には同一の符号を付して説明は省略する。
【００８５】
そしてコントローラ１の制御部１ｂは実施形態２と同様に、通常モードにおいて、動作指示コマンドを設備機器３へ送信することによって、複数の設備機器３を一括制御、個別制御する。
【００８６】
次に、本実施形態では、操作端末２の操作スイッチ２ｃをオン・オフする一括制御操作を行うことでも、複数の設備機器３の一括制御を行うことができる。以下、操作端末２による一括制御パターンの設定および操作について説明する。
【００８７】
まず、いずれか１つの操作端末２の操作スイッチ２ｃをモード切換操作（長押操作、またはモード切換スイッチを別に設けてもよい）することによって、当該操作された操作端末２では、モード切換部２ｄが、操作端末２の動作を通常モードから登録モードに移行させるとともに、制御部２ｂは、コントローラ１に対して、登録モード設定コマンドをユニキャスト送信する。登録モード設定コマンドを受信したコントローラ１では、モード切換部１ｄが、コントローラ１の動作を通常モードから登録モードに移行させる。このようにして、モード切換操作された操作端末２とコントローラ１とが登録モードに移行する。
【００８８】
そして、コントローラ１の制御部１ｂは、各一括制御パターンの情報を予め記憶しており、動作内容記憶部１ｆには、各一括制御パターンに対応する動作指示コマンドが予め記憶されている。登録モードにおける制御部１ｂは、操作表示部１ｃに各一括制御パターンの情報を提示し、操作表示部１ｃのユーザ操作によって、いずれか１つの一括制御パターンが選択される。例えば、コントローラ１において一括制御パターン「おやすみ」が選択された状態で、登録モードに移行した操作端末２の操作スイッチ２ｃが関連付け操作（オン操作、またはオフ操作、またはオンオフ連続操作）されると、操作された操作端末２の制御部２ｂは、操作された操作スイッチ２ｃのＯＩＤ（オブジェクトＩＤ）をＯＩＤ記憶部２ｇから読み出してコントローラ１へ送信する。ＯＩＤは、ＯＩＤ記憶部２ｇに予め格納された操作識別情報であり、操作端末２の操作スイッチ２ｃ毎に固有に割り付けられたネットワークアドレスやハンドル番号である。
【００８９】
ＯＩＤを受信したコントローラ１は、当該受信したＯＩＤを、選択している一括制御パターン「おやすみ」の動作指示コマンドに対応付け、このＯＩＤ−動作指示コマンドの対応関係を対応記憶部１ｈに記憶することで、当該操作端末２の操作スイッチ２ｃが、一括制御パターン「おやすみ」に関連付けられる。
【００９０】
上記一括制御パターンの関連付け処理が完了すると、登録モードの操作端末２では、操作スイッチ２ｃを再びモード切換操作（長押操作、またはモード切換スイッチを別に設けてもよい）することによって、モード切換部２ｄが、操作端末２の動作を登録モードから通常モードに移行させるとともに、制御部２ｂは、コントローラ１に対して、通常モード復帰コマンドをユニキャスト送信する。通常モード復帰コマンドを受信したコントローラ１では、モード切換部１ｄが、コントローラ１の動作を登録モードから通常モードに移行させる。このようにして、モード切換操作された操作端末２とコントローラ１とが通常モードに移行する。
【００９１】
または、登録モードの操作端末２では、制御部２ｂが、登録モード設定コマンドをコントローラ１へ定期的に送信し続け、上記一括制御パターンの関連付け処理が完了すると、操作スイッチ２ｃを再びモード切換操作（長押操作、またはモード切換スイッチを別に設けてもよい）することによって、モード切換部２ｄが、操作端末２の動作を登録モードから通常モードに移行させるとともに、制御部２ｂは、コントローラ１に対する登録モード設定コマンドの送信を停止し、登録モードのコントローラ１では、登録モード設定コマンドを一定時間受信しなければ、モード切換部１ｄが、コントローラ１の動作を登録モードから通常モードに移行させるタイムアウト処理を行うことで、モード切換操作された操作端末２とコントローラ１とが通常モードに移行してもよい。この場合、操作端末２は、コントローラ１に対する登録モード設定コマンドの定期送信を停止することで、通常モードに移行したことをコントローラ１に通知している。
【００９２】
そして、通常モードにおける操作端末２の制御部２ｂは、操作スイッチ２ｃをオンまたはオフする一括制御操作時に、ＯＩＤ記憶部２ｇからＯＩＤを読み出し、コントローラ１へＯＩＤを送信する。
【００９３】
コントローラ１は、対応記憶部１ｈを参照して、操作端末２から受信したＯＩＤに対応する動作指示コマンドを動作内容記憶部１ｆから読み出し、ネットワークＮＴ上の設備機器３へ動作指示コマンドをマルチキャスト送信する。
【００９４】
設備機器３の制御部３ｂは、操作端末２から受信した動作指示コマンド内に自器のアドレスが格納されておれば、動作指示コマンドから自器宛の動作内容を取り出し、機能部３ｃを当該動作内容に制御する。そして制御部３ｂは、制御後の状態変化通知をネットワークＮＴを介してコントローラ１に送信し、コントローラ１の制御部１ｂは、操作表示部１ｃに表示する設備機器３の運転状態（監視結果）を更新する。
【００９５】
このように、所定の一括制御パターンに関連付けられた操作端末２からコントローラ１へＯＩＤを送信し、コントローラ１が、受信したＯＩＤに基づいて設備機器３へ動作指示コマンドを送信する代理制御を行うことによって、複数の設備機器３を一括制御できる。
【００９６】
このように、本実施形態では、操作端末２が、一括制御の操作時に操作手段２ｃのＯＩＤをコントローラ１へ送信し、コントローラ１が、受信したＯＩＤに対応する動作指示コマンドをマルチキャスト送信する。すなわち、操作端末２の操作時には、コントローラ１が設備機器３を代理制御するので、動作指示コマンドはコントローラ１のみが保持しておればよく、操作端末２をより簡易に構成することができる。
【００９７】
（実施形態５）
本実施形態は、通常モード−登録モードの切換動作が実施形態１と異なるものであり、実施形態１と同様の構成には同一の符号を付して説明は省略する。
【００９８】
まず、コントローラ１では、モード切換部１ｄが、操作表示部１ｃのユーザ操作によってコントローラ１の動作を通常モードから登録モードに移行させるとともに、制御部１ｂは、ネットワークＮＴ上の全操作端末２に対して、登録モード設定コマンドをマルチキャスト送信する。登録モード設定コマンドを受信した操作端末２では、モード切換部２ｄが、操作端末２の動作を通常モードから登録モードに移行させる。このようにして、コントローラ１と全ての操作端末２とが登録モードに移行する。
【００９９】
そして、コントローラ１の制御部１ｂは、各一括制御パターンの情報を予め記憶しており、要求ＩＤ記憶部１ｅには、各一括制御パターンに対応する制御要求ＩＤが予め記憶されている。登録モードにおける制御部１ｂは、操作表示部１ｃに各一括制御パターンの情報を提示し、操作表示部１ｃのユーザ操作によって、いずれか１つの一括制御パターンが選択される。例えば、コントローラ１において一括制御パターン「おやすみ」が選択された状態で、いずれか１つの操作端末２の操作スイッチ２ｃが関連付け操作（オン操作、またはオフ操作、またはオンオフ連続操作）されると、操作された操作端末２の制御部２ｂはコントローラ１へ操作信号を送信する。操作信号を受信したコントローラ１は、選択している一括制御パターン「おやすみ」に対応する制御要求ＩＤを要求ＩＤ記憶部１ｅから読み出して、操作信号の送信元の操作端末２へ送信する。
【０１００】
操作された操作端末２の制御部２ｂは、コントローラ１から受信した制御要求ＩＤを要求ＩＤ記憶部２ｅに記憶することで、当該操作端末２の操作スイッチ２ｃが、一括制御パターン「おやすみ」に関連付けられる。
【０１０１】
上記一括制御パターンの関連付け処理が完了すると、コントローラ１では、モード切換部１ｄが、操作表示部１ｃのユーザ操作によってコントローラ１の動作を登録モードから通常モードに移行させるとともに、制御部１ｂは、ネットワークＮＴ上の全操作端末２に対して、通常モード復帰コマンドをマルチキャスト送信する。通常モード復帰コマンドを受信した操作端末２では、モード切換部２ｄが、操作端末２の動作を登録モードから通常モードに移行させる。このようにして、コントローラ１と全ての操作端末２とが通常モードに移行する。
【０１０２】
または、登録モードのコントローラ１では、制御部１ｂが、登録モード設定コマンドを操作端末２へ定期的にマルチキャスト送信し続け、上記一括制御パターンの関連付け処理が完了すると、モード切換部１ｄが、操作表示部１ｃのユーザ操作によってコントローラ１の動作を登録モードから通常モードに移行させるとともに、制御部１ｂは、操作端末２に対する登録モード設定コマンドのマルチキャスト送信を停止し、登録モードの操作端末２では、登録モード設定コマンドを一定時間受信しなければ、モード切換部２ｄが、操作端末２の動作を登録モードから通常モードに移行させるタイムアウト処理を行うことで、コントローラ１と全ての操作端末２とが通常モードに移行してもよい。この場合、コントローラ１は、操作端末２に対する登録モード設定コマンドの定期送信を停止することで、通常モードに移行したことを操作端末２に通知している。
【０１０３】
また、通常モード時の動作は実施形態１と同様であり、説明は省略する。
【０１０４】
（実施形態６）
本実施形態は、通常モード−登録モードの切換動作が実施形態２と異なるものであり、実施形態２と同様の構成には同一の符号を付して説明は省略する。
【０１０５】
まず、コントローラ１では、モード切換部１ｄが、操作表示部１ｃのユーザ操作によってコントローラ１の動作を通常モードから登録モードに移行させるとともに、制御部１ｂは、ネットワークＮＴ上の全操作端末２に対して、登録モード設定コマンドをマルチキャスト送信する。登録モード設定コマンドを受信した操作端末２では、モード切換部２ｄが、操作端末２の動作を通常モードから登録モードに移行させる。このようにして、コントローラ１と全ての操作端末２とが登録モードに移行する。
【０１０６】
そして、コントローラ１の制御部１ｂは、各一括制御パターンの情報を予め記憶しており、動作内容記憶部１ｆには、各一括制御パターンに対応する動作指示コマンドが予め記憶されている。登録モードにおける制御部１ｂは、操作表示部１ｃに各一括制御パターンの情報を提示し、操作表示部１ｃのユーザ操作によって、いずれか１つの一括制御パターンが選択される。例えば、コントローラ１において一括制御パターン「おやすみ」が選択された状態で、いずれか１つの操作端末２の操作スイッチ２ｃが関連付け操作（オン操作、またはオフ操作、またはオンオフ連続操作）されると、操作された操作端末２の制御部２ｂは操作信号をコントローラ１へ送信する。操作信号を受信したコントローラ１は、選択している一括制御パターン「おやすみ」に対応する動作指示コマンドを動作内容記憶部１ｆから読み出して、操作信号の送信元の操作端末２へ送信する。
【０１０７】
操作された操作端末２の制御部２ｂは、コントローラ１から受信した動作指示コマンドを操作内容記憶部２ｆに記憶することで、当該操作端末２の操作スイッチ２ｃが、一括制御パターン「おやすみ」に関連付けられる。
【０１０８】
上記一括制御パターンの関連付け処理が完了すると、コントローラ１では、モード切換部１ｄが、操作表示部１ｃのユーザ操作によってコントローラ１の動作を登録モードから通常モードに移行させるとともに、制御部１ｂは、ネットワークＮＴ上の全操作端末２に対して、通常モード復帰コマンドをマルチキャスト送信する。通常モード復帰コマンドを受信した操作端末２では、モード切換部２ｄが、操作端末２の動作を登録モードから通常モードに移行させる。このようにして、コントローラ１と全ての操作端末２とが通常モードに移行する。
【０１０９】
または、登録モードのコントローラ１では、制御部１ｂが、登録モード設定コマンドを操作端末２へ定期的にマルチキャスト送信し続け、上記一括制御パターンの関連付け処理が完了すると、モード切換部１ｄが、操作表示部１ｃのユーザ操作によってコントローラ１の動作を登録モードから通常モードに移行させるとともに、制御部１ｂは、操作端末２に対する登録モード設定コマンドのマルチキャスト送信を停止し、登録モードの操作端末２では、登録モード設定コマンドを一定時間受信しなければ、モード切換部２ｄが、操作端末２の動作を登録モードから通常モードに移行させるタイムアウト処理を行うことで、コントローラ１と全ての操作端末２とが通常モードに移行してもよい。この場合、コントローラ１は、操作端末２に対する登録モード設定コマンドの定期送信を停止することで、通常モードに移行したことを操作端末２に通知している。
【０１１０】
また、通常モード時の動作は実施形態２と同様であり、説明は省略する。
【０１１１】
（実施形態７）
本実施形態は、通常モード−登録モードの切換動作が実施形態３と異なるものであり、実施形態３と同様の構成には同一の符号を付して説明は省略する。
【０１１２】
まず、コントローラ１では、モード切換部１ｄが、操作表示部１ｃのユーザ操作によってコントローラ１の動作を通常モードから登録モードに移行させるとともに、制御部１ｂは、ネットワークＮＴ上の全操作端末２に対して、登録モード設定コマンドをマルチキャスト送信する。登録モード設定コマンドを受信した操作端末２では、モード切換部２ｄが、操作端末２の動作を通常モードから登録モードに移行させる。このようにして、コントローラ１と全ての操作端末２とが登録モードに移行する。
【０１１３】
そして、コントローラ１の制御部１ｂは、各一括制御パターンの情報を予め記憶しており、要求ＩＤ記憶部１ｅには、各一括制御パターンに対応する制御要求ＩＤが予め記憶されている。登録モードにおける制御部１ｂは、操作表示部１ｃに各一括制御パターンの情報を提示し、操作表示部１ｃのユーザ操作によって、いずれか１つの一括制御パターンが選択される。例えば、コントローラ１において一括制御パターン「おやすみ」が選択された状態で、いずれか１つの操作端末２の操作スイッチ２ｃが関連付け操作（オン操作、またはオフ操作、またはオンオフ連続操作）されると、操作された操作端末２の制御部２ｂは、操作された操作スイッチ２ｃのＯＩＤ（オブジェクトＩＤ）をＯＩＤ記憶部２ｇから読み出してコントローラ１へ送信する。ＯＩＤは、ＯＩＤ記憶部２ｇに予め格納された操作識別情報であり、操作端末２の操作スイッチ２ｃ毎に固有に割り付けられたネットワークアドレスやハンドル番号である。
【０１１４】
ＯＩＤを受信したコントローラ１は、当該受信したＯＩＤを、選択している一括制御パターン「おやすみ」の制御要求ＩＤに対応付け、このＯＩＤ−制御要求ＩＤの対応関係をＩＤ対応記憶部１ｇに記憶することで、当該操作端末２の操作スイッチ２ｃが、一括制御パターン「おやすみ」に関連付けられる。
【０１１５】
上記一括制御パターンの関連付け処理が完了すると、コントローラ１では、モード切換部１ｄが、操作表示部１ｃのユーザ操作によってコントローラ１の動作を登録モードから通常モードに移行させるとともに、制御部１ｂは、ネットワークＮＴ上の全操作端末２に対して、通常モード復帰コマンドをマルチキャスト送信する。通常モード復帰コマンドを受信した操作端末２では、モード切換部２ｄが、操作端末２の動作を登録モードから通常モードに移行させる。このようにして、コントローラ１と全ての操作端末２とが通常モードに移行する。
【０１１６】
または、登録モードのコントローラ１では、制御部１ｂが、登録モード設定コマンドを操作端末２へ定期的にマルチキャスト送信し続け、上記一括制御パターンの関連付け処理が完了すると、モード切換部１ｄが、操作表示部１ｃのユーザ操作によってコントローラ１の動作を登録モードから通常モードに移行させるとともに、制御部１ｂは、操作端末２に対する登録モード設定コマンドのマルチキャスト送信を停止し、登録モードの操作端末２では、登録モード設定コマンドを一定時間受信しなければ、モード切換部２ｄが、操作端末２の動作を登録モードから通常モードに移行させるタイムアウト処理を行うことで、コントローラ１と全ての操作端末２とが通常モードに移行してもよい。この場合、コントローラ１は、操作端末２に対する登録モード設定コマンドの定期送信を停止することで、通常モードに移行したことを操作端末２に通知している。
【０１１７】
また、通常モード時の動作は実施形態３と同様であり、説明は省略する。
【０１１８】
（実施形態８）
本実施形態は、通常モード−登録モードの切換動作が実施形態４と異なるものであり、実施形態４と同様の構成には同一の符号を付して説明は省略する。
【０１１９】
まず、コントローラ１では、モード切換部１ｄが、操作表示部１ｃのユーザ操作によってコントローラ１の動作を通常モードから登録モードに移行させるとともに、制御部１ｂは、ネットワークＮＴ上の全操作端末２に対して、登録モード設定コマンドをマルチキャスト送信する。登録モード設定コマンドを受信した操作端末２では、モード切換部２ｄが、操作端末２の動作を通常モードから登録モードに移行させる。このようにして、コントローラ１と全ての操作端末２とが登録モードに移行する。
【０１２０】
そして、コントローラ１の制御部１ｂは、各一括制御パターンの情報を予め記憶しており、動作内容記憶部１ｆには、各一括制御パターンに対応する動作指示コマンドが予め記憶されている。登録モードにおける制御部１ｂは、操作表示部１ｃに各一括制御パターンの情報を提示し、操作表示部１ｃのユーザ操作によって、いずれか１つの一括制御パターンが選択される。例えば、コントローラ１において一括制御パターン「おやすみ」が選択された状態で、いずれか１つの操作端末２の操作スイッチ２ｃが関連付け操作（オン操作、またはオフ操作、またはオンオフ連続操作）されると、操作された操作端末２の制御部２ｂは、操作された操作スイッチ２ｃのＯＩＤ（オブジェクトＩＤ）をＯＩＤ記憶部２ｇから読み出してコントローラ１へ送信する。ＯＩＤは、ＯＩＤ記憶部２ｇに予め格納された操作識別情報であり、操作端末２の操作スイッチ２ｃ毎に固有に割り付けられたネットワークアドレスやハンドル番号である。
【０１２１】
ＯＩＤを受信したコントローラ１は、当該受信したＯＩＤを、選択している一括制御パターン「おやすみ」の動作指示コマンドに対応付け、このＯＩＤ−動作指示コマンドの対応関係を対応記憶部１ｈに記憶することで、当該操作端末２の操作スイッチ２ｃが、一括制御パターン「おやすみ」に関連付けられる。
【０１２２】
上記一括制御パターンの関連付け処理が完了すると、コントローラ１では、モード切換部１ｄが、操作表示部１ｃのユーザ操作によってコントローラ１の動作を登録モードから通常モードに移行させるとともに、制御部１ｂは、ネットワークＮＴ上の全操作端末２に対して、通常モード復帰コマンドをマルチキャスト送信する。通常モード復帰コマンドを受信した操作端末２では、モード切換部２ｄが、操作端末２の動作を登録モードから通常モードに移行させる。このようにして、コントローラ１と全ての操作端末２とが通常モードに移行する。
【０１２３】
または、登録モードのコントローラ１では、制御部１ｂが、登録モード設定コマンドを操作端末２へ定期的にマルチキャスト送信し続け、上記一括制御パターンの関連付け処理が完了すると、モード切換部１ｄが、操作表示部１ｃのユーザ操作によってコントローラ１の動作を登録モードから通常モードに移行させるとともに、制御部１ｂは、操作端末２に対する登録モード設定コマンドのマルチキャスト送信を停止し、登録モードの操作端末２では、登録モード設定コマンドを一定時間受信しなければ、モード切換部２ｄが、操作端末２の動作を登録モードから通常モードに移行させるタイムアウト処理を行うことで、コントローラ１と全ての操作端末２とが通常モードに移行してもよい。この場合、コントローラ１は、操作端末２に対する登録モード設定コマンドの定期送信を停止することで、通常モードに移行したことを操作端末２に通知している。
【０１２４】
また、通常モード時の動作は実施形態４と同様であり、説明は省略する。
【０１２５】
（実施形態９）
本実施形態は、図５、図６に示すように、ＬＥＤ素子を点灯・消灯するＬＥＤ表示部２ｈを操作端末２に設けたものであり、以下、実施形態２または実施形態６の構成を例にして説明する。なお、図６においては、１つの操作端末２に、２つの操作スイッチ２ｃを設け、各操作スイッチ２ｃの押ボタンに表示ＬＥＤ２ｈが露設されており、操作スイッチ２ｃの各々が一括制御パターンに関連付けられている。
【０１２６】
まず、図７に示す通常モード時の動作シーケンスにおいて、操作端末２の制御部２ｂは、操作スイッチ２ｃをオンまたはオフする一括制御操作時に、操作内容記憶部２ｆから動作指示コマンドを読み出し、ネットワークＮＴ上の設備機器３へ動作指示コマンドをマルチキャスト送信する（Ｓ１）。一括制御操作された操作端末２は、一括制御の処理が完了するまで表示ＬＥＤ２ｈを点滅させる等によって、一括制御の処理中であることを仮表示する（Ｓ２）。
【０１２７】
設備機器３の制御部３ｂは、操作端末２から受信した動作指示コマンド内に自器のアドレスが格納されておれば、動作指示コマンドから自器宛の動作内容を取り出し、機能部３ｃを当該動作内容に制御する。そして制御部３ｂは、制御後の状態変化通知（制御値）をネットワークＮＴを介してコントローラ１および操作端末２へマルチキャスト送信する（Ｓ３）。
【０１２８】
コントローラ１の制御部１ｂは、動作内容記憶部１ｆに記憶している動作指示コマンドを参照し、各設備機器３から受信した状態変化通知に基づいて、設備機器３の運転状態（監視結果）を検知し、操作表示部１ｃに表示する設備機器３の運転状態（監視結果）を更新する。一括制御対象の全ての設備機器３から状態変化通知が返送された場合、操作表示部１ｃの表示内容を、実行中の一括制御パターンの報知画面に更新する。しかし、一括制御対象の全ての設備機器３から状態変化通知が返送されなかった場合、操作表示部１ｃの表示内容を、異常発生画面に更新する（Ｓ４）。
【０１２９】
また、操作端末２のＬＥＤ表示部２ｈも、動作内容記憶部２ｆに記憶している動作指示コマンドを参照し、各設備機器３から受信した状態変化通知に基づいて、設備機器３の運転状態（監視結果）を検知し、ＬＥＤ素子の点灯状態を変更する。一括制御対象の全ての設備機器３から状態変化通知が返送された場合、ＬＥＤ表示部２ｈはＬＥＤ素子を点滅状態から点灯状態に切り換えて、一括制御が完了したことを報知する。しかし、一括制御対象の全ての設備機器３から状態変化通知が返送されなかった場合、ＬＥＤ表示部２ｈはＬＥＤ素子を点滅状態から消灯状態に切り換えて、一括制御が失敗したことを報知する。あるいは、一括制御の成否に応じて、ＬＥＤ素子の発光色を切り換えてもよい（Ｓ４）。
【０１３０】
このように、本実施形態では、コントローラ１だけでなく、操作端末２においても一括制御の成否を視覚的に確認でき、ユーザビリティが向上する。なお、ネットワークＮＴ上の全操作端末２の操作スイッチ２ｃに設けたＬＥＤ表示部２ｈを、一括制御の成否に応じて表示を切り換えてもよく、または一括制御の操作を行った操作スイッチ２ｃに設けたＬＥＤ表示部２ｈのみを、一括制御の成否に応じて表示を切り換えてもよい。
【０１３１】
（実施形態１０）
本実施形態は、実施形態９において、コントローラ１および操作端末２が、ネットワークＮＴ上を伝送する状態変化通知等のマルチキャストパケット（一斉同報信号）を選択的に受信する構成を備えており、受信不要なマルチキャストパケットをネットワーク層で破棄することで、コントローラ１および操作端末２が具備するＣＰＵの負荷を軽減させている。
【０１３２】
具体的には、ネットワークＮＴ上を伝送するマルチキャストパケットには、送信元においてマルチキャストアドレス（一斉同報用アドレス）が付加されている。このマルチキャストアドレスは、システム通信用、状態検知用、制御用、設定用等のようなマルチキャストパケットの用途に応じて、互いに異なるアドレスに設定される。そこで、コントローラ１は、制御用のマルチキャストパケットを受信する必要がないので、制御部１ｂは、システム通信用、状態検知用、設定用のマルチキャストアドレスのみを受信可能に設定され、制御用のマルチキャストアドレスが付加されたマルチキャストパケットは、制御部１ｂがネットワーク層で破棄する。
【０１３３】
また、複数のコントローラ１を同一のネットワークＮＴに接続して、同一のネットワークＮＴを、照明制御用の機器制御システム、情報機器制御用の機器制御システム、住宅設備制御用の機器制御システム等のような複数系統の機器制御システムで共用する場合があり、この場合、マルチキャストアドレスは、機器制御システムの系統毎に互いに異なるアドレスに設定される。そこで、照明制御用の機器制御システムに用いるコントローラ１は、情報機器制御用、住宅設備制御用のマルチキャストパケットを受信する必要がないので、制御部１ｂは、照明制御用のマルチキャストアドレスのみを受信可能に設定され、情報機器制御用および住宅設備制御用のマルチキャストアドレスが付加されたマルチキャストパケットは、制御部１ｂがネットワーク層で破棄する。
【０１３４】
さらに、照明制御用の機器制御システムに用いる操作端末２も同様に、情報機器制御用、住宅設備制御用のマルチキャストパケットを受信する必要がないので、制御部２ｂは、照明制御用のマルチキャストアドレスのみを受信可能に設定され、情報機器制御用および住宅設備制御用のマルチキャストアドレスが付加されたマルチキャストパケットは、制御部２ｂがネットワーク層で破棄する。
【０１３５】
このように、コントローラ１および操作端末２が、ネットワークＮＴ上のマルチキャストパケットを選択的に受信し、不要なマルチキャストパケットを破棄しており、設備機器３からコントローラ１および操作端末２へマルチキャスト送信される状態変化通知の受信処理に係るＣＰＵ負荷を低減させることができる。
【０１３６】
コントローラ１および操作端末２における受信可能なマルチパケットアドレスの設定は、以下のように行われる。まず、コントローラ１の制御部１ｂが、ネットワークＮＴに接続された自システムの配下の設備機器３（自己が制御する設備機器３）を、ＵＰｎＰ（Universal Plug and Play）機能等によって自動検出し、当該検出した設備機器３から各機器で用いるマルチパケットアドレスの情報を取得する。そして、取得したマルチパケットアドレスのうち、受信が必要なマルチパケットアドレスを選択して記憶することで、受信可能なマルチパケットアドレスが設定される。上記設備機器３から取得したマルチパケットアドレスの選択処理は、ユーザ操作によって行う方法や、制御部１ｂが自己のシステム設定に応じて自動で行う方法がある。
【０１３７】
さらに、コントローラ１の制御部１ｂは、動作内容記憶部１ｆに記憶している動作指示コマンドを参照して、各操作端末２において受信が必要なマルチパケットアドレスを選択し、当該選択したマルチパケットアドレスの情報を各操作端末２へ送信する。各操作端末２では、制御部２ｂが、コントローラ１から受信したマルチパケットアドレスの情報を記憶することで、受信可能なマルチパケットアドレスが割り当てられる。
【符号の説明】
【０１３８】
１  コントローラ
１ｂ  制御部
１ｄ  モード切換部
１ｅ  要求ＩＤ記憶部
２  操作端末
２ｂ  制御部
２ｃ  操作スイッチ
２ｄ  モード切換部
２ｅ  要求ＩＤ記憶部
３  設備機器
３ｄ  動作内容記憶部
ＮＴ  ネットワーク
【図１】
2011114499.tif 000003
【図２】
2011114499.tif 000004
【図３】
2011114499.tif 000005
【図４】
2011114499.tif 000006
【図５】
2011114499.tif 000007
【図６】
2011114499.tif 000008
【図７】
2011114499.tif 000009